(57)【要約】【課題】間仕切り壁のコーナー部に、カバー板を簡易な作業で正確且つ安定的に取り付けることができるようにする。【解決手段】鋼板をＬ字形に屈曲して形成された一対の連結片８、９を、コーナー部Ｃに面して立設させた支柱１、１の側面間と、カバー板７の内面とにそれぞれ取り付け、カバー板７をコーナー部Ｃに被せて、連結片８に形成された切り込み部８１、８１に連結片９を上下に噛み合せて連結することにより、カバー板７をコーナー部Ｃに固定する。  【選択図】図１
2008069584.tif 000002
【特許請求の範囲】
【請求項１】
床面に立て並べた支柱で壁パネルを支持する間仕切り壁のコーナー部にカバー板を取り付ける構造において、
前記コーナー部に立設する支柱の側面間に連結片を取り付けるとともに、コーナー部を覆うカバー板の内面に前記連結片に係合する連結片を取り付け、両連結片の少なくとも一方に形成した上下方向の切り込み部に他方の連結片を嵌め込み上下に噛み合わせてカバー板をコーナー部に固定することを特徴とする間仕切り壁コーナー部カバー板の取り付け構造。
【請求項２】
前記一対の連結片は鋼板を平面視Ｌ字形に屈曲して形成してあることを特徴とする請求項１に記載の間仕切り壁コーナー部カバー板の取り付け構造。
【請求項３】
前記切り込み部の開口端部側に、平面視Ｌ字形に屈曲した連結片の角部に向けて幅広となるテーパ部を設けたことを特徴とする請求項１又は２に記載の間仕切り壁コーナー部カバー板の取り付け構造。
【発明の詳細な説明】
【技術分野】
【０００１】
本発明は、床面上に立て並べた支柱で壁パネルを支持して構成される、室内空間を仕切る間仕切り壁に関し、間仕切り壁同士を直交配置したときのコーナー部に沿ってカバー板を取り付ける構造に関する。
【背景技術】
【０００２】
図６に示されるように、床面Ｆ上に立て並べた支柱１、１間に複数本の横桟２、２を平行に掛け渡し、各横桟２間に壁パネル３を取り付けて壁面を構成する間仕切り壁が知られている。図中、符号４は横桟２に沿って取り付けられた支持レール、５は支持レール４で支持された書棚などの付帯品である。
【０００３】
このような間仕切り壁同士を交差配置して直交した間仕切り壁面を床面Ｆ上に形成する場合、間仕切り壁同士が直交するコーナー部に沿ってカバー板を取り付けるようにしている。
かかるカバー板の取り付けは、例えば図７に示されるように、コーナー部Ｃを挟んで設置された一側の間仕切り壁３端部の支柱１と他側の間仕切り壁３端部の支柱１とに連結板６をビスで留め付け、この連結板６の外側にカバー板７を宛がって覆い被せ、カバー板７の両側端を連結板６にビス留めし固定することにより行われていた（例えば特許文献１参照）。
【０００４】
【特許文献１】特開２００３−３３６３３８号公報
【発明の開示】
【発明が解決しようとする課題】
【０００５】
前記の如く、間仕切り壁のコーナー部Ｃにカバー板７を取り付ける作業は、先ずカバー板７を連結板６の外側に宛がってカバー板７の固定位置を位置決めし、次いでカバー板７をビスで留め付けるという手順により行われるが、ビス留めする際にカバー板７が位置ずれし易いため、一人の作業者がカバー板７を支えた状態で他の作業者がビス留めする必要があり、カバー板７の取り付けには多くの手間と工数を要していた。また、このカバー板の取り付け構造の場合には、ビスの頭がカバー板７の表面に露出するため、見栄えが悪くなるという外観上の問題があった。
【０００６】
本発明は従来技術の有するこのような問題点に鑑み、間仕切り壁のコーナー部に、カバー板を簡易な作業で正確且つ安定的に取り付けることができるようにするとともに、外観が優れていることを課題とする。
【課題を解決するための手段】
【０００７】
前記課題を解決するため本発明は、床面に立て並べた支柱で壁パネルを支持する間仕切り壁のコーナー部にカバー板を取り付ける構造において、前記コーナー部に立設する支柱の側面間に連結片を取り付けるとともに、コーナー部を覆うカバー板の内面に前記連結片に係合する連結片を取り付け、両連結片の少なくとも一方に形成した上下方向の切り込み部に他方の連結片を嵌め込み上下に噛み合わせてカバー板をコーナー部に固定することを特徴とする。
また、前記一対の連結片を、鋼板を平面視Ｌ字形に屈曲して形成することを特徴とし、切り込み部の開口端部側には平面視Ｌ字形に屈曲した連結片の角部に向けて幅広となるテーパ部を設けてあることを特徴とする。
【０００８】
これによれば、間仕切り壁コーナー部の支柱に取り付けた連結片とカバー板の内面に取り付けた連結片とを上下に交差させてからスライドさせると、一方の連結片に形成された切り込み部内に他方の連結片が嵌まり込み、双方の連結片同士が一体に噛み合って連結し、カバー板をコーナー部に沿って固定することができる。予め連結片同士の噛み合い位置を調整して両連結片を支柱とカバー板とに取り付けておきさえすれば、カバー板をコーナー部に留め付けるためのビスやネジは不要であり、カバー板をコーナー部に被せて落とし込むという簡易な操作で、カバー板をコーナー部の所定位置に確実に固定しておくことが可能である。
【０００９】
前記一対の連結片は、例えば帯状の鋼板を平面視略Ｌ字形を呈するように屈曲して形成することができる。
両連結片の一方は間仕切り壁のコーナー部にＬ字形に折れた角部をコーナー部外側に向け且つ両端をコーナー部に面して隣接設置させた両支柱の側面に接合させて水平横向きに取り付けられ、他方はカバー板の内面に、同じくＬ字形に折れた角部を外側に向け且つ両端をカバー板内側面に接合させて水平横向きに取り付けられる。
また、両連結片は、カバー板をコーナー部に被せたときに、コーナー部支柱側の連結片の上にカバー板側の連結片が重なるように取り付けられ、上下に重なった連結片同士が噛み合うように、コーナー部支柱に取り付けられる連結片の上辺か、カバー板に取り付けられる連結片の下辺の何れか、或いは双方に切り込み部が形成される。
切り込み部は連結片の角部を挟んだ両側に、その上辺又は下辺から対向辺に向けて連結片の肉厚分の幅だけスリット状に細長く切除した部分を設けて形成することができる。切り込み部の開口端部側に、前記角部に向けて幅広となるテーパ部を設ければ、カバー板をコーナー部に被せて落とし込む際に、前記テーパ部に沿って連結片が嵌まり込むことにより、カバー板を支柱側に自動的に引き寄せて所定の固定位置に導くことが可能である。
【発明を実施するための最良の形態】
【００１０】
本発明の好適な一実施形態を図面を参照して説明する。
図１は本発明の一実施形態の間仕切り壁コーナー部分の横断面図、図２はカバー板と支柱に取り付ける連結片の外観図、図３は図２の連結片同士を嵌合させた状態の外観図、図４は連結片を取り付けたコーナー部支柱の要部外観図、図５は連結片を取り付けたカバー板の要部外観図である。各図において前記従来例の間仕切り壁と同一の構成部材には同一の符号を付してある。
【００１１】
本形態は、前記図６に示された間仕切り壁を用いて床面Ｆ上に形成した直交した間仕切り壁面のコーナー部Ｃに、本発明を適用してカバー板７を取り付ける構成のものであり、図１に示されるように、コーナー部Ｃに面して立設させた支柱１、１の側面間に取り付けられた連結片８と、カバー板７の内面に取り付けられた連結片９とを互いに上下に噛み合わせて連結することにより、カバー板７がコーナー部Ｃを覆って固定されるように構成してある。
【００１２】
より詳しくは、連結片８と連結片９は、図２に示されるように、ともに帯状の鋼板を平面視略Ｌ字形を呈するように屈曲して形成してある。
連結片８は、鋼板の中央を縦に直角に折り曲げてＬ字形に屈曲するとともに両側端を外側へ直角に折り返して形成し、さらに直角に折れた角部８ａの両側の上辺８ｂには、それぞれ角部８ａから等間隔離れた位置で上辺８ｂの縁部から下辺８ｃに向けて垂直に伸びた切り込み部８１、８１を形成してある。
両切り込み部８１、８１は、連結片８の高さに対して上辺８ｂから２／３程度の深さに亘って伸びており、その上半部は角部８ａに向かって傾斜した幅広なテーパ部８１ａ、下半部は連結片９の肉厚分の幅だけ細長く切除したスリット部８１ｂとなっている。
また、前記両側端の折り返し部には、ビス１０を挿通するための通孔８２、８２をそれぞれ形成してある。
【００１３】
また、連結片９は、図２に示されるように、連結片８よりも幅広な鋼板を用い、連結片８と同様に、その中央を縦に直角に折り曲げてＬ字形に屈曲するとともに両側端を外側へ直角に折り返した形状に設けてある。
そして、両連結片８、９は、連結片８を下側、連結片９を上側にして上下に重ね合わせると、図３に示されるように、連結片９の下辺９ｃが連結片８の切り込み部８１、８１内に嵌まり込み、互いに角部８ａ、９ａ同士が直交し前後に噛み合って一体に連結するように形成してある。
【００１４】
両連結片８、９は、カバー板７を取り付ける作業前にあらかじめ間仕切り壁の構成部材に取り付けられ、連結片８は、図４に示されるように、間仕切り壁のコーナー部Ｃに面して隣接設置させた支柱１、１の側面間で、角部８ａがコーナー部Ｃの外側に張り出すように水平横向きに配置し、両側端を両支柱１、１の側面に接合させた状態で通孔８２、８２からビス１０をねじ込んで、両支柱１、１に一体に取り付けられる。また、連結片９は、図５に示されるように、カバー板７の内面で、角部９ａがカバー板７の内面外側に張り出すように水平横向きに配置し、カバー板７の内側面に接合した両側端を溶接により固定してカバー板７に一体に取り付けられる。
【００１５】
カバー板７をコーナー部Ｃに取り付ける操作は、コーナー部Ｃに面する両支柱１、１に壁パネル３、３を取り付けた後に行われ、カバー板７をコーナー部Ｃに被せ、連結片９の下辺９ｃを連結片８の上辺８ｂに載せ両連結片８、９を上下に交差させて落とし込むと、連結片９の下辺９ｃが連結片８の切り込み部８１、８１内に嵌り込む。
この際、切り込み部８１、８１内に係入した連結片９の下辺９ｃは、切り込み部上半部のテーパ部８１ａ、８１ａに当接し、同部上を滑りながら切り込み部下半部のスリット部８１ｂ、８１ｂ内へと嵌り込み、これに伴いカバー板７が支柱１、１側へと引き寄せられて、図１に示されるようにカバー板７の両側端が壁パネル３、３の表面に覆い被さる。
そして、連結片９の下辺９ｃが連結片８の切り込み部８１、８１の下端まで嵌まり込み、両連結片８、９が噛み合って一体に連結することにより、コーナー部Ｃに被せたカバー板７が固定される。
その後、必要に応じて、カバー板７の上部にキャップ（図示せず）を被せてこれを固定することにより、カバー板７の取り付けが完了する。両連結片８、９が噛み合って一体に連結しているため、カバー板７の位置がずれるようなことはなく、カバー板７をビスやねじで留め付ける作業は不要である。
【００１６】
このように本発明によれば、間仕切り壁コーナー部Ｃの支柱１、１に取り付けた連結片８とカバー板７の内面に取り付けた連結片９とを上下に交差し噛み合わせて一体に連結することにより、カバー板７がコーナー部Ｃに沿って取り付けられ、簡易な作業により所定の固定位置にカバー板７を正確且つ安定的に取り付け、固定することが可能である。
【００１７】
なお、図示した形態では支柱１、１に取り付ける連結片８の上辺８ｂに切り込み部８１、８１を形成したが、これに代えてカバー板７に取り付ける連結片９の下辺９ｃに切り込み部を形成してもよく、また、両連結片８、９に切り込み部を設けて互いに噛み合わさるようにしてもよい。また、図示した間仕切り壁、カバー板７、両連結片８、９の構成は一例であり、本発明はこれらの形態に限定されず、他の適宜な形態で構成可能である。
【図面の簡単な説明】
【００１８】
【図１】本発明の一実施形態。
【図２】（Ａ）、（Ｂ）はそれぞれカバー板と支柱に取り付ける連結片の外観図である。
【図３】図２の連結片同士を嵌合させた状態の外観図である。
【図４】図２連結片を取り付けたコーナー部支柱の要部外観図である。
【図５】図２の連結片を取り付けたカバー板の要部外観図である。
【図６】従来の間仕切りパネルの構成外観図である。
【図７】従来の間仕切り壁コーナー部分の横断面図である
【符号の説明】
【００１９】
１  支柱、２  横桟、３  壁パネル、４  支持レール、５  付帯品、６  連結板、７  カバー板、８、９  連結片、１０  ビス、Ｃ  コーナー部、Ｆ  床面
【図１】
2008069584.tif 000003
【図２】
2008069584.tif 000004
【図３】
2008069584.tif 000005
【図４】
2008069584.tif 000006
【図５】
2008069584.tif 000007
【図６】
2008069584.tif 000008
【図７】
2008069584.tif 000009